(57)【要約】【課題】  音声記録に欠落を生じさせない録音制御方法を提供する。【解決手段】  携帯電話機（100）は、無線通信処理を行う無線通信部（11）と、外部入力される音声を集音する集音部（12）と、該集音部で集音した音声を記憶する記憶部（13）と、前記集音部で集音した音声を前記記憶部に格納する録音処理を行う録音処理部（14）と、該録音処理部による録音処理期間を検知し前記無線通信部に対し当該録音処理期間における無線通信処理の停止を指示する処理制御部（15）と、前記処理制御部による前記指示を行うか否かをユーザが設定するためのユーザ設定部（16）と、予め設定されたイベントを発生させるイベント発生部（17）とを備える。【選択図】      図１
2005123973.tif 000002
【特許請求の範囲】
【請求項１】
外部入力される音声の録音処理機能を有する携帯電話機において録音処理を制御する方法であって、
前記携帯電話機は、音声の録音処理期間を検知し、当該録音処理期間は無線通信処理を停止することを特徴とする録音制御方法。
【請求項２】
前記録音処理期間における前記無線通信処理の停止を行うか否かを当該録音処理前に設定することを特徴とする請求項１記載の録音制御方法。
【請求項３】
前記携帯電話機は、予め設定されたイベントの発生時期が前記録音処理期間に含まれるとき、前記録音処理期間における当該イベントの発生を中止することを特徴とする請求項１記載の録音制御方法。
【請求項４】
前記イベントとしてアラームの報知を設定することを特徴とする請求項３記載の録音制御方法。
【請求項５】
無線通信処理を行う無線通信部と、外部入力される音声を集音する集音部と、該集音部で集音した音声を記憶する記憶部と、前記集音部で集音した音声を前記記憶部に格納する録音処理を行う録音処理部と、該録音処理部による録音処理期間を検知し前記無線通信部に対し当該録音処理期間における無線通信処理の停止を指示する処理制御部とを備えることを特徴とする携帯電話機。
【請求項６】
さらに、前記処理制御部による前記指示を行うか否かをユーザが設定するためのユーザ設定部を備えることを特徴とする請求項５記載の携帯電話機。
【請求項７】
さらに、予め設定されたイベントを発生させるイベント発生部を備え、
前記処理制御部は、前記イベント発生部に対し前記録音処理期間におけるイベント発生の中止を指示することを特徴とする請求項１記載の携帯電話機。
【請求項８】
前記イベント発生部は、前記イベントとしてアラームの報知を行うことを特徴とする請求項７記載の携帯電話機。
【発明の詳細な説明】
【技術分野】
【０００１】
本発明は、外部入力される音声を録音する機能を有する携帯電話機において録音処理を制御する方法に関する。
【背景技術】
【０００２】
従来、会議や講義における音声記録を作成するにあたり、専用のレコーダ機器を持ち込むことに代えて、例えば後述の特許文献１に記載の発明のように、録音処理機能を有する携帯電話機を用いることが知られている。この種の携帯電話機により音声を録音する際は、当該電話機内のＲＡＭ（Random Access Memory）あるいは電話機に着脱可能なメモリカードのような記録媒体が用いられ、近年では、長時間の録音を可能とするために、記録媒体の容量を拡大させつつある。
【特許文献１】特開２００２−１４２０２５号公報
【発明の開示】
【発明が解決しようとする課題】
【０００３】
しかしながら、上述のような携帯電話機により録音を行っている間、例えば電話着信があった場合、携帯電話機は録音処理を中止して呼び出しを開始する。そうすると、たとえ長時間の録音を可能とされていても、会議等における重要な音声記録が部分的に欠落するおそれがある。
【０００４】
本発明は、上記課題に鑑みてなされたものであり、携帯電話機により適正な音声記録を得ることができる録音制御方法および該方法を実施するに好適な携帯電話機を提供することを目的とする。
【課題を解決するための手段】
【０００５】
本発明に係る録音制御方法は、外部入力される音声の録音処理機能を有する携帯電話機において録音処理を制御する方法であって、前記携帯電話機は、音声の録音処理期間を検知し、当該録音処理期間は無線通信処理を停止する。
【０００６】
また、本発明に係る携帯電話機は、無線通信処理を行う無線通信部と、外部入力される音声を集音する集音部と、該集音部で集音した音声を記憶する記憶部と、前記集音部で集音した音声を前記記憶部に格納する録音処理を行う録音処理部と、該録音処理部による録音処理期間を検知し前記無線通信部に対し当該録音処理期間における無線通信処理の停止を指示する処理制御部とを備える。
【発明の効果】
【０００７】
本発明に係る録音制御方法によれば、携帯電話機が自己機における録音期間中の無線通信処理を停止することから、電話着信に起因する録音処理の中断を防止することができる。これにより、欠落のない適正な音声記録を作成することが可能となる。
【０００８】
また、本発明に係る携帯電話機によれば、上述の録音制御方法を実施することが可能となることから、録音中における不意の電話着信を懸念することなく、専用のレコーダ機器と同様に適正な音声記録を作成することが可能となる。
【発明を実施するための最良の形態】
【０００９】
［実施例］
以下、本発明の実施例について図面を用いて詳細に説明する。図１は、本発明に係る携帯電話機の実施例のブロック図である。図示の構成は、実施例の携帯電話機１００の機能的な構成を示すものであり、携帯電話機１００は、無線通信処理を行う無線通信部１１と、外部入力される音声を集音する集音部１２と、該集音部で集音した音声を記憶する記憶部１３と、集音部１２で集音した音声を記憶部１３に格納する録音処理を行う録音処理部１４と、該録音処理部による録音処理期間を検知し無線通信部１１に対し当該録音処理期間における無線通信処理の停止を指示する処理制御部１５と、該処理制御部による前記指示を行うか否かをユーザが設定するためのユーザ設定部１６と、予め設定されたイベントを発生させるイベント発生部１７とを備える。
【００１０】
処理制御部１５は、録音処理の開始時に無線通信部１１の無線通信機能を停止させ、録音処理の終了時に無線通信を再開させる。処理制御部１５による上記指示により、携帯電話機１００において録音処理期間中は無線通信が行われないことから、この間、電話着信は発生しない。
【００１１】
ユーザ設定部１６は、上記の無線通信機能の停止を実行するか否かを予めユーザに設定させる機能を果たし、例えば、録音処理を電話着信よりも優先させるか否かをユーザに問う画面を表示する。
【００１２】
イベント発生部１７は、例えば、所定の時刻が到来したとき、アラームの鳴動あるいはスケジュールの報知を行う等、携帯電話機１００の図示しないタイマー機構が計時する時刻に関連して設定されたプログラムを実行する。
【００１３】
図２に、携帯電話機１００のハードウェア構成を示す。携帯電話機１００は、電波の送受信のためのアンテナ２１と、無線通信部１１の機能を果たす通信符号化回路、通信モデムおよび網制御回路等を含む無線処理回路２２と、録音処理部１４、処理制御部１５、ユーザ設定部１６およびイベント発生部１７の機能を実現するためのプログラムを保持するＲＯＭ２３と、携帯電話機１００で用いるデータを記憶する記憶部１３の機能を果たすＲＡＭ２４と、同じく記憶部１３の機能を果たすＳＤ（Secure Digital）メモリカードのような外部記憶媒体２５と、画面を表示するディスプレイ２６と、テンキーを含む操作キー２７と、音声を報知するスピーカ２８と、外部の音声を集音する集音部１２の機能を果たすマイク２９と、スピーカ２８およびマイク２９で取り扱う音声に関する信号処理を行う信号処理回路３０と、ＲＯＭ２３のプログラムに沿って携帯電話機１００の動作を制御するＣＰＵのような制御回路３１とを備える。
【００１４】
携帯電話機１００の動作を図３に示すフローチャートに沿って説明する。ここでは、会議に参加するユーザが、その議論の音声記録を外部記憶媒体２５に録音する手順を説明する。携帯電話機１００が電話着信可能な待ち受け状態にある間に（ステップＳ１）、ユーザが外部音声の録音を行うべく所定の操作によりレコーダ機能を起動すると（ステップＳ２）、携帯電話機１００は、外部記憶媒体２５の装着の有無を検知する（ステップＳ３）。その結果、外部記憶媒体２５が装着されていない場合、装着を促す画面をディスプレイ２６に表示させる。このとき、外部記憶媒体２５に代えて、携帯電話機１００内部のＲＡＭ２４への録音に切り替えできるような手順を加えてもよい。
【００１５】
携帯電話機１００は、外部記憶媒体２５が装着されていることを検知すると、録音処理を最優先とするか否かを問う画面をユーザ設定部１６がディスプレイ２６に表示させる。このように、録音処理の優先処理についてユーザの選択が可能としたことにより、例えば、録音データに欠落を生じさせたくない重要な会議記録等を作成する場合は、録音処理を最優先として設定し、また、録音処理中であっても電話着信を待つ状況である場合は、上記設定を無効とすることができる。これにより、ユーザの利用状況を考慮した録音処理を行うことが可能となる。
【００１６】
続いて、前記選択画面から録音処理を優先させる旨が選択された場合（ステップＳ４：Ｙｅｓ）、処理制御部１５は、無線通信部１１に無線通信機能の停止を指示すると共に、イベント発生部１７に対しアラームの鳴動のようなイベントの発生を中止させた後（ステップＳ５）、録音処理部１４による録音処理の開始させる（ステップＳ６）。
【００１７】
これにより、たとえ携帯電話機１００に対する呼が発生しても、その呼が携帯電話機１００に着信することはなく、また、イベントを実行すべき時刻が到来しても当該イベントは発生しないことから、録音処理部１４は、指示された録音処理を中断されることなく継続させることができる。
【００１８】
その後、ユーザの操作により録音処理の終了が指示され、録音処理部１４が処理の終了を処理制御部１５に通知すると（ステップＳ７）、処理制御部１５は、無線通信部１１に無線通信の再開を指示すると共に、イベント発生部１７にイベントの発生を許可する（ステップＳ８）。そして、携帯電話機１００は、再び待ち受け状態に戻る。
【００１９】
また、仮に、録音期間における無線通信の実行を選択された場合（ステップＳ４：Ｎｏ）、録音開始後に（ステップＳ９）、電話着信あるいはイベント発生があったとき（ステップＳ１０：Ｙｅｓ）、従来の携帯電話機と同様に、録音処理を中止する（ステップＳ１１）。そして、無線通信部１１あるいはイベント発生部１７により、着信に関わる処理やアラームの鳴動を行った後（ステップＳ１２）、録音を再開させる処理に戻る（ステップＳ２）。録音期間中に電話着信やイベントの設定がない場合は（ステップＳ１０：Ｎｏ）、録音を終了させると（ステップＳ１３）、待ち受け状態に戻る。
【００２０】
以上説明したように、実施例の携帯電話機１００によれば、処理制御部１５は、録音期間における無線通信処理を停止およびイベント発生の中止を無線通信部１１およびイベント発生部１７に指示することから、電話着信やイベント発生に起因する録音処理の中断を防ぐことができる。これにより、聞き逃すことができない重要かつ長時間の会議などにおいても、適正な録音記録を残すことが可能となる。
【００２１】
本発明に係る録音制御方法を適用する携帯電話機としては、音声録音機能を有するものであれば、折り畳み式の携帯電話機、フリップ型の携帯電話機およびストレートタイプの携帯電話機等、筐体の様式は問わない。
【図面の簡単な説明】
【００２２】
【図１】本発明による実施例の携帯電話機の機能的な構成を示すブロック図である。
【図２】実施例の携帯電話機のハードウェア構成を示すブロック図である。
【図３】実施例の携帯電話機の動作を示すフローチャートである。
【符号の説明】
【００２３】
１００  携帯電話機
１１  無線通信部
１２  集音部
１３  記憶部
１４  録音処理部
１５  処理制御部
１６  ユーザ設定部
１７  イベント発生部
【図１】
2005123973.tif 000003
【図２】
2005123973.tif 000004
【図３】
2005123973.tif 000005